(57)【特許請求の範囲】
【請求項１】
ロングタームエボリューションにおけるライセンス補助アクセス（ＬＡＡ−ＬＴＥ）チャネル上で伝送する方法であって、
ＬＡＡ−ＬＴＥチャネル上での伝送のための開始時間を決定することと、
前記開始時間に基づいて、かつ、所定の伝送時間境界に基づいて、ハイブリッドプリアンブルの長さを決定することと、
前記ハイブリッドプリアンブルの長さを決定することに続いて、前記決定された長さを有するハイブリッドプリアンブルを伝送することと、
前記ハイブリッドプリアンブルの伝送に続いて、ロングタームエボリューション（ＬＴＥ）信号を伝送することと、
第２のＬＴＥ信号の伝送を許可する伝送許可を受信することであって、前記伝送許可は、先行するハイブリッドプリアンブルなしに前記第２のＬＴＥ信号を伝送するための指示を含む、ことと、
前記指示に応答して、先行するハイブリッドプリアンブルなしに前記第２のＬＴＥ信号を伝送することと
を含む、方法。
【請求項２】
前記所定の伝送時間境界は、伝送時間間隔（ＴＴＩ）境界である、請求項１に記載の方法。
【請求項３】
前記ハイブリッドプリアンブルは、前記ＬＴＥ信号の長さを示す無線ローカルエリアネットワーク（ＷＬＡＮ）適合セクション（ＷＣＳ）を備えている、請求項１に記載の方法。
【請求項４】
前記ハイブリッドプリアンブルの長さは、前記無線ローカルエリアネットワーク（ＷＬＡＮ）適合セクション（ＷＣＳ）の持続時間に等しい、請求項３に記載の方法。
【請求項５】
前記ハイブリッドプリアンブルは、無線ローカルエリアネットワーク（ＷＬＡＮ）適合セクション（ＷＣＳ）および可変長セクション（ＶＬＳ）を備え、前記ＷＣＳは、前記ＬＴＥ信号の長さを示し、前記ＶＬＳは、前記ハイブリッドプリアンブルの長さと前記ＷＣＳの長さとの間の差異に基づいて決定される長さを有する、請求項１に記載の方法。
【請求項６】
前記ハイブリッドプリアンブルの長さは、前記ＷＣＳの長さより大きい、請求項５に記載の方法。
【請求項７】
前記ハイブリッドプリアンブルは、前記ハイブリッドプリアンブルの長さに基づいて決定される長さを有する可変長セクション（ＶＬＳ）を備えている、請求項１に記載の方法。
【請求項８】
前記ハイブリッドプリアンブルの伝送に先立って、前記ＬＴＥ信号の伝送を許可する伝送許可と前記ハイブリッドプリアンブルの伝送電力レベルを示す指示とを受信することと、
前記伝送許可に応答して、前記指示に従って前記ハイブリッドプリアンブルを伝送することと
をさらに含む、請求項１に記載の方法。
【請求項９】
前記指示は、前記ハイブリッドプリアンブルが通常電力レベルまたは低減電力レベルで伝送されることを示す、請求項８に記載の方法。
【請求項１０】
前記ハイブリッドプリアンブルは、前記所定の伝送時間境界に先立って、第１のサブフレーム内で伝送され、前記ＬＴＥ信号は、前記所定の伝送時間境界後、第２のサブフレーム内で伝送される、請求項１に記載の方法。
【請求項１１】
前記第１のサブフレームは、前記第１のサブフレーム内の全てより少ないシンボルの一部のみを占有するように適合されたＬＴＥ信号を備え、前記ハイブリッドプリアンブルは、前記一部内にないシンボルに対応する期間中に伝送される、請求項１０に記載の方法。
【請求項１２】
前記ＬＡＡ−ＬＴＥチャネルは、ライセンス補助動作のために構成された非ライセンスキャリアである、請求項１に記載の方法。
【請求項１３】
ユーザ機器（ＵＥ）であって、前記ＵＥは、プロセッサを備え、
前記プロセッサは、請求項１〜１２のいずれかに記載の方法を実行するように構成されている、ＵＥ。
【請求項１４】
基地局であって、前記基地局は、プロセッサを備え、
前記プロセッサは、請求項１〜１２のいずれかに記載の方法を実行するように構成されている、基地局。
【発明の詳細な説明】
【技術分野】
【０００１】
（優先権の主張）
本願は、米国特許出願第１４／５４２，４１４号（２０１４年１１月１４日出願）に対する優先権を主張し、上記出願の全内容は、参照により本明細書に援用される。
【０００２】
（技術分野）
本開示は、通信システムにおけるデータ伝送に関し、より具体的には、ロングタームエボリューション動作におけるライセンス補助アクセス（ＬＡＡ−ＬＴＥ）におけるチャネルの共有に関する。
【背景技術】
【０００３】
オペレータは、スペクトル不足問題に対処するために、いくつかの方法を模索しており、解決策として、非ライセンススペクトルの使用にますます目を向けつつある。いくつかの実装では、ロングタームエボリューション（ＬＴＥ）無線インターフェースが、非ライセンススペクトル内で使用されることができる。非ライセンススペクトルにおいて使用され得る、ＬＴＥの一般的技術変形例は、ＬＴＥにおけるライセンス補助アクセス（ＬＡＡ−ＬＴＥ：ｌｉｃｅｎｓｅｄ−ａｓｓｉｓｔｅｄ  ａｃｃｅｓｓ  ｉｎ  ＬＴＥ）と称される。ある場合には、ＬＡＡ−ＬＴＥは、ライセンスキャリアを一次セル（Ｐセル）とし、非ライセンスキャリアを二次セル（Ｓセル）として使用することができる。ある場合には、クロスキャリアスケジューリングが、非ライセンスキャリア上での伝送をスケジュールするために使用されることができる。ライセンス補助動作では、非ライセンスキャリア上での伝送のための伝送許可が、ライセンスキャリア上で伝送されることができる。
【発明の概要】
【課題を解決するための手段】
【０００４】
本開示は、ロングタームエボリューションにおけるライセンス補助アクセス（ＬＡＡ−ＬＴＥ）動作におけるチャネルの共有を対象とする。ＬＡＡ−ＬＴＥ動作は、ライセンスキャリアを一次セル（Ｐセル）とし、非ライセンスキャリアを二次セル（Ｓセル）として含むことができる。ある場合には、ＬＡＡ−ＬＴＥ動作における非ライセンスキャリアは、ＬＡＡ−ＬＴＥ技術に基づいて動作するユーザ機器（ＵＥ）およびＷＬＡＮ技術に基づいて動作する無線ローカルアクセスネットワーク（ＷＬＡＮ）デバイスによって共有され得る。一実施例では、ＷＬＡＮ技術は、８０２．１１無線インターフェースを含み得る。ある場合には、ＷＬＡＮデバイスは、非ライセンスキャリア上で伝送される、ロングタームエボリューション（ＬＴＥ）信号の波形を認識しない場合がある。したがって、ＷＬＡＮデバイスは、ＬＴＥ信号を未知の伝送として処理し得る。ある場合には、ＷＬＡＮデバイスは、未知の伝送の検出に敏感でないこともある。したがって、ＷＬＡＮデバイスは、非ライセンスキャリア上でＬＴＥ信号と同時の伝送を試み、それによって、より高い干渉またはクロストークの可能性をＬＴＥ信号上にもたらし得る。加えて、ＷＬＡＮデバイスは、ＬＴＥ信号の波形を認識しない場合があるので、ＬＴＥ信号の完了まで非ライセンスキャリアを監視し続け、したがって、ＷＬＡＮデバイスの電力消費を増加させ得る。
【０００５】
さらに、ＬＡＡ−ＬＴＥ動作では、ロングタームエボリューション（ＬＴＥ）無線インターフェースの物理層構造およびフレームフォーマットが、ＬＴＥシステムからの順方向移行（ｆｏｒｗａｒｄ  ｍｉｇｒａｔｉｏｎ）を可能にするために使用され得る。このアプローチは、ＬＡＡ−ＬＴＥシステムが、多くのＬＴＥ特徴、例えば、直交周波数分割多重アクセス（ＯＦＤＭＡ）、周波数ドメインスケジューリング、およびクロスキャリアスケジューリングを含むことを可能にする。
【０００６】
いくつかの実装では、ＷＬＡＮデバイスは、非ライセンスキャリア上でのＷＬＡＮ信号の伝送に先立って、ＷＬＡＮプリアンブルを伝送し得る。ＷＬＡＮプリアンブルは、ＷＬＡＮ信号の長さを示し得る。他のＷＬＡＮデバイスは、ＷＬＡＮプリアンブルを検出し、適宜、ＷＬＡＮ信号の長さを決定し得る。他のＷＬＡＮデバイスは、したがって、非ライセンスキャリアの監視を停止し、ＷＬＡＮ信号が伝送されるまで、その回路コンポーネントの一部をオフにすることによって、そのバッテリ電力を節約し得る。しかしながら、ＷＬＡＮ伝送は、ＷＬＡＮが非同期チャネルアクセス上で動作するので、ＬＴＥフレーム構造と適合性がない場合がある。例えば、ＷＬＡＮプリアンブルおよび後続ＷＬＡＮ信号は、非ライセンスキャリアが利用可能となるとすぐに伝送され得る。対照的に、周波数分割複信（ＦＤＤ）および時分割複信（ＴＤＤ）動作の両方をサポートするＬＴＥフレーム構造は、同期フレーム構造上で動作する。したがって、ＬＡＡ−ＬＴＥ動作におけるＬＴＥ信号は、非ライセンスキャリア上で固定された伝送時間境界で伝送され得る。これらの固定された境界は、伝送時間間隔（ＴＴＩ）境界と称され得る。ｅＮＢまたはＵＥ等のＬＡＡ−ＬＴＥ機器が、非ライセンスキャリア上での伝送を望む場合、ＬＡＡ−ＬＴＥ機器は、チャネルが伝送のために利用可能であるかどうかを決定する（例えば、チャネルをリッスンし、チャネルが占有されていないことを決定することによって）。しかしながら、非ライセンスキャリアがＬＴＥ信号を搬送するために利用可能となる瞬間、ＵＥまたはｅＮＢが、ＬＴＥ信号を伝送することができない場合、または許可されない場合がある。なぜなら、ＬＴＥ信号伝送が、ＴＴＩ境界において開始するように規定されおり、非ライセンスキャリア上の伝送のための瞬間が、ＴＴＩ境界と一致しないからである。
【０００７】
いくつかの実装では、ハイブリッドプリアンブルが、ＬＡＡ−ＬＴＥ動作においてチャネルを共有するために使用され得る。ハイブリッドプリアンブルは、ＬＴＥフレーム構造との適合性を維持しながら、非ライセンスキャリア上で伝送されるＬＴＥ信号の長さを示し得る。
本発明は、例えば、以下を提供する。
（項目１）
ロングタームエボリューションにおけるライセンス補助アクセス（ＬＡＡ−ＬＴＥ）チャネル上で伝送する方法であって、
ＬＡＡ−ＬＴＥチャネル上での伝送のための開始時間を決定することと、
前記開始時間に基づいて、かつ所定の伝送時間境界に基づいて、ハイブリッドプリアンブルの長さを決定することと、
前記ハイブリッドプリアンブルの長さを決定することに続いて、前記決定された長さを有するハイブリッドプリアンブルを伝送することと、
前記ハイブリッドプリアンブルの伝送に続いて、ロングタームエボリューション（ＬＴＥ）信号を伝送することと
を含む、方法。
（項目２）
前記所定の伝送時間境界は、伝送時間間隔（ＴＴＩ）境界である、項目１に記載の方法。
（項目３）
前記ハイブリッドプリアンブルは、前記ＬＴＥ信号の長さを示す無線ローカルエリアネットワーク（ＷＬＡＮ）適合セクション（ＷＣＳ）を備えている、項目１に記載の方法。
（項目４）
前記ハイブリッドプリアンブルの長さは、前記無線ローカルエリアネットワーク（ＷＬＡＮ）適合セクション（ＷＣＳ）の持続時間に等しい、項目３に記載の方法。
（項目５）
前記ハイブリッドプリアンブルは、無線ローカルエリアネットワーク（ＷＬＡＮ）適合セクション（ＷＣＳ）および可変長セクション（ＶＬＳ）を備え、前記ＷＣＳは、前記ＬＴＥ信号の長さを示し、前記ＶＬＳは、前記ハイブリッドプリアンブルの長さと前記ＷＣＳの長さとの間の差異に基づいて決定される長さを有する、項目１に記載の方法。
（項目６）
前記ハイブリッドプリアンブルの長さは、前記ＷＣＳの長さより大きい、項目５に記載の方法。
（項目７）
前記ハイブリッドプリアンブルは、前記ハイブリッドプリアンブルの長さに基づいて決定される長さを有する可変長セクション（ＶＬＳ）を備えている、項目１に記載の方法。
（項目８）
前記ハイブリッドプリアンブルの伝送に先立って、前記ＬＴＥ信号の伝送を許可する伝送許可と前記ハイブリッドプリアンブルの伝送電力レベルを示す指示とを受信することと、
前記伝送許可に応答して、前記指示に従って前記ハイブリッドプリアンブルを伝送することと
をさらに含む、項目１に記載の方法。
（項目９）
前記指示は、前記ハイブリッドプリアンブルが通常電力レベルまたは低減電力レベルで伝送されることを示す、項目８に記載の方法。
（項目１０）
第２のＬＴＥ信号の伝送を許可する伝送許可を受信することであって、前記伝送許可は、先行するハイブリッドプリアンブルなしに前記第２のＬＴＥ信号を伝送するための指示を含む、ことと、
前記指示に応答して、先行するハイブリッドプリアンブルなしに前記第２のＬＴＥ信号を伝送することと
をさらに含む、項目１に記載の方法。
（項目１１）
前記ハイブリッドプリアンブルは、前記所定の伝送時間境界に先立って、第１のサブフレーム内で伝送され、前記ＬＴＥ信号は、前記所定の伝送時間境界後、第２のサブフレーム内で伝送される、項目１に記載の方法。
（項目１２）
前記第１のサブフレームは、前記第１のサブフレーム内の全てより少ないシンボルの一部のみを占有するように適合されたＬＴＥ信号を備え、前記ハイブリッドプリアンブルは、前記一部内にないシンボルに対応する期間中に伝送される、項目１１に記載の方法。
（項目１３）
前記ＬＡＡ−ＬＴＥチャネルは、ライセンス補助動作のために構成された非ライセンスキャリアである、項目１に記載の方法。
（項目１４）
前記ハイブリッドプリアンブルは、ユーザ機器（ＵＥ）によって伝送される、項目１に記載の方法。
（項目１５）
前記ハイブリッドプリアンブルは、進化型ＮｏｄｅＢ（ｅＮＢ）によって伝送される、項目１に記載の方法。
（項目１６）
ユーザ機器（ＵＥ）であって、前記ＵＥは、プロセッサを備え、
前記プロセッサは、
ＬＡＡ−ＬＴＥチャネル上での伝送のための開始時間を決定することと、
前記開始時間に基づいて、かつ所定の伝送時間境界に基づいて、ハイブリッドプリアンブルの長さを決定することと、
前記ハイブリッドプリアンブルの長さを決定することに続いて、前記決定された長さを有するハイブリッドプリアンブルを伝送することと、
前記ハイブリッドプリアンブルの伝送に続いて、ロングタームエボリューション（ＬＴＥ）信号を伝送することと
を行うように構成されている、ＵＥ。
（項目１７）
前記所定の伝送時間境界は、伝送時間間隔（ＴＴＩ）境界である、項目１６に記載のＵＥ。
（項目１８）
前記ハイブリッドプリアンブルは、前記ＬＴＥ信号の長さを示す無線ローカルエリアネットワーク（ＷＬＡＮ）適合セクション（ＷＣＳ）を備えている、項目１６に記載のＵＥ。
（項目１９）
前記ハイブリッドプリアンブルの長さは、前記無線ローカルエリアネットワーク（ＷＬＡＮ）適合セクション（ＷＣＳ）の持続時間に等しい、項目１８に記載のＵＥ。
（項目２０）
前記ハイブリッドプリアンブルは、無線ローカルエリアネットワーク（ＷＬＡＮ）適合セクション（ＷＣＳ）および可変長セクション（ＶＬＳ）を備え、前記ＷＣＳは、前記ＬＴＥ信号の長さを示し、前記ＶＬＳは、前記ハイブリッドプリアンブルの長さと前記ＷＣＳの長さとの間の差異に基づいて決定される長さを有する、項目１６に記載のＵＥ。
（項目２１）
前記ハイブリッドプリアンブルの長さは、前記ＷＣＳの長さより大きい、項目２０に記載のＵＥ。
（項目２２）
前記ハイブリッドプリアンブルは、前記ハイブリッドプリアンブルの長さに基づいて決定される長さを有する可変長セクション（ＶＬＳ）を備えている、項目１６に記載のＵＥ。
（項目２３）
前記１つ以上のプロセッサは、
前記ハイブリッドプリアンブルの伝送に先立って、前記ＬＴＥ信号の伝送を許可する伝送許可と前記ハイブリッドプリアンブルの伝送電力レベルを示す指示とを受信することと、
前記伝送許可に応答して、前記指示に従って前記ハイブリッドプリアンブルを伝送することと
を行うようにさらに構成されている、項目１６に記載のＵＥ。
（項目２４）
前記指示は、前記ハイブリッドプリアンブルが通常電力レベルまたは低減電力レベルで伝送されることを示す、項目２３に記載のＵＥ。
（項目２５）
前記１つ以上のプロセッサは、
第２のＬＴＥ信号の伝送を許可する伝送許可を受信することであって、前記伝送許可は、先行するハイブリッドプリアンブルなしに前記第２のＬＴＥ信号を伝送するための指示を含む、ことと、
前記指示に応答して、先行するハイブリッドプリアンブルなしに前記第２のＬＴＥ信号を伝送することと
を行うようにさらに構成されている、項目１６に記載のＵＥ。
（項目２６）
前記ハイブリッドプリアンブルは、前記所定の伝送時間境界に先立って、第１のサブフレーム内で伝送され、前記ＬＴＥ信号は、前記所定の伝送時間境界後、第２のサブフレーム内で伝送される、項目１６に記載のＵＥ。
（項目２７）
前記第１のサブフレームは、前記第１のサブフレーム内のシンボルの一部のみを占有するように適合されたＬＴＥ信号を備え、前記ハイブリッドプリアンブルは、前記一部内にないシンボルに対応する期間中に伝送される、項目２６に記載のＵＥ。
（項目２８）
前記ＬＡＡ−ＬＴＥチャネルは、ライセンス補助動作のために構成された非ライセンスキャリアである、項目１６に記載のＵＥ。
（項目２９）
基地局であって、前記基地局は、プロセッサを備え、
前記プロセッサは、
ＬＡＡ−ＬＴＥチャネル上での伝送のための開始時間を決定することと、
前記開始時間に基づいて、かつ所定の伝送時間境界に基づいて、ハイブリッドプリアンブルの長さを決定することと、
前記ハイブリッドプリアンブルの長さを決定することに続いて、前記決定された長さを有するハイブリッドプリアンブルを伝送することと、
前記ハイブリッドプリアンブルの伝送に続いて、ロングタームエボリューション（ＬＴＥ）信号を伝送することと
を行うように構成されている、基地局。
（項目３０）
前記所定の伝送時間境界は、伝送時間間隔（ＴＴＩ）境界である、項目２９に記載の基地局。
（項目３１）
前記ハイブリッドプリアンブルは、前記ＬＴＥ信号の長さを示す無線ローカルエリアネットワーク（ＷＬＡＮ）適合セクション（ＷＣＳ）を備えている、項目２９に記載の基地局。
（項目３２）
前記ハイブリッドプリアンブルの長さは、前記無線ローカルエリアネットワーク（ＷＬＡＮ）適合セクション（ＷＣＳ）の持続時間に等しい、項目２９に記載の基地局。
（項目３３）
前記ハイブリッドプリアンブルは、無線ローカルエリアネットワーク（ＷＬＡＮ）適合セクション（ＷＣＳ）および可変長セクション（ＶＬＳ）を備え、前記ＷＣＳは、前記ＬＴＥ信号の長さを示し、前記ＶＬＳは、前記ハイブリッドプリアンブルの長さと前記ＷＣＳの長さとの間の差異に基づいて決定される長さを有する、項目２９に記載の基地局。
（項目３４）
前記ハイブリッドプリアンブルの長さは、前記ＷＣＳの長さより大きい、項目３３に記載の基地局。
（項目３５）
前記ハイブリッドプリアンブルは、前記ハイブリッドプリアンブルの長さに基づいて決定される長さを有する可変長セクション（ＶＬＳ）を備えている、項目２９に記載の基地局。
（項目３６）
前記ハイブリッドプリアンブルは、前記所定の伝送時間境界に先立って、第１のサブフレーム内で伝送され、前記ＬＴＥ信号は、前記所定の伝送時間境界後、第２のサブフレーム内で伝送される、項目２９に記載の基地局。
（項目３７）
前記第１のサブフレームは、前記第１のサブフレーム内のシンボルの一部のみを占有するように適合されたＬＴＥ信号を備え、前記ハイブリッドプリアンブルは、前記一部内にないシンボルに対応する期間中に伝送される、項目３６に記載の基地局。
（項目３８）
前記ＬＡＡ−ＬＴＥチャネルは、ライセンス補助動作のために構成された非ライセンスキャリアである、項目２９に記載の基地局。
（項目３９）
命令を含む有形非一過性コンピュータ読み取り可能な媒体であって、前記命令は、実行されると、
ＬＡＡ−ＬＴＥチャネル上での伝送のための開始時間を決定することと、
前記開始時間に基づいて、かつ所定の伝送時間境界に基づいて、ハイブリッドプリアンブルの長さを決定することと、
前記ハイブリッドプリアンブルの長さを決定することに続いて、前記決定された長さを有するハイブリッドプリアンブルを伝送することと、
前記ハイブリッドプリアンブルの伝送に続いて、ロングタームエボリューション（ＬＴＥ）信号を伝送することと
を含む動作を実施することをコンピューティングデバイスに行わせる、有形非一過性コンピュータ読み取り可能な媒体。
【図面の簡単な説明】
【０００８】
【図１】図１は、ＬＡＡ−ＬＴＥ動作においてチャネルを共有する例示的無線通信システムである。
【０００９】
【図２】図２は、第１のハイブリッドプリアンブル構造を図示する例示的タイミング図である。
【００１０】
【図３】図３は、第１のハイブリッドプリアンブル構造内でシグナリングフィールド（Ｌ−ＳＩＧ）を使用した長さ指示を図示する例示的タイミング図である。
【００１１】
【図４】図４は、第１のハイブリッドプリアンブル構造内で送信可（ＣＴＳ）メッセージを使用した長さ指示を図示する例示的タイミング図である。
【００１２】
【図５】図５は、可変長セクション（ＶＬＳ）を伴わない第１のハイブリッドプリアンブル構造を図示する例示的タイミング図である。
【００１３】
【図６】図６は、無線ローカルエリアネットワーク（ＷＬＡＮ）適合セクション（ＷＣＳ）を伴わない第１のハイブリッドプリアンブル構造を図示する例示的タイミング図である。
【００１４】
【図７】図７は、拡張された第１のハイブリッドプリアンブル構造を図示する例示的タイミング図である。
【００１５】
【図８】図８は、第２のハイブリッドプリアンブル構造を図示する例示的タイミング図である。
【００１６】
【図９】図９は、第２のハイブリッドプリアンブル構造内でシグナリングフィールド（Ｌ−ＳＩＧ）を使用した長さ指示を図示する例示的タイミング図である。
【００１７】
【図１０】図１０は、第２のハイブリッドプリアンブル構造内で送信可（ＣＴＳ）メッセージを使用した長さ指示を図示する例示的タイミング図である。
【００１８】
【図１１】図１１は、可変長セクション（ＶＬＳ）を伴わない第２のハイブリッドプリアンブル構造を図示する例示的タイミング図である。
【００１９】
【図１２】図１２は、無線ローカルエリアネットワーク（ＷＬＡＮ）適合セクション（ＷＣＳ）を伴わない第２のハイブリッドプリアンブル構造を図示する例示的タイミング図である。
【００２０】
【図１３】図１３は、拡張された第２のハイブリッドプリアンブル構造を図示する例示的タイミング図である。
【００２１】
【図１４】図１４は、ロードベース機器（ＬＢＥ）動作におけるダウンリンク（ＤＬ）ハイブリッドプリアンブル構造を図示する例示的タイミング図である。
【００２２】
【図１５】図１５は、フレームベース機器（ＦＢＥ）動作におけるダウンリンク（ＤＬ）ハイブリッドプリアンブル構造を図示する例示的タイミング図である。
【００２３】
【図１６】図１６は、ダウンリンク（ＤＬ）パンクチャードＬＴＥサブフレーム内のハイブリッドプリアンブル構造を図示する例示的タイミング図である。
【００２４】
【図１７】図１７は、構成可能伝送電力を用いたハイブリッドプリアンブル構造を図示する例示的タイミング図である。
【００２５】
【図１８】図１８は、アップリンク（ＵＬ）ハイブリッドプリアンブル構造を図示する例示的タイミング図である。
【００２６】
【図１９】図１９は、時分割多重（ＴＤＤ）動作におけるハイブリッドプリアンブル構造を図示する例示的タイミング図である。
【００２７】
【図２０】図２０は、アップリンク（ＵＬ）パンクチャードＬＴＥサブフレーム内のハイブリッドプリアンブル構造を図示する例示的タイミング図である。
【００２８】
【図２１】図２１は、ＬＡＡ−ＬＴＥ動作においてチャネルを共有するための例示的方法を図示するフロー図である。
【００２９】
【図２２】図２２は、例示的ユーザ機器（ＵＥ）デバイスを図示するブロック図である。
【００３０】
【図２３】図２３は、例示的進化型ＮｏｄｅＢ（ｅＮＢ）デバイスを図示するブロック図である。
【００３１】
種々の図面における同一参照番号および記号は、同一要素を示す。
【発明を実施するための形態】
【００３２】
図１は、ロングタームエボリューションにおけるライセンス補助アクセス（ＬＡＡ−ＬＴＥ）動作においてチャネルを共有する例示的無線通信システム１００である。例えば、無線通信システムでは、ＬＡＡ−ＬＴＥチャネル上での伝送のための開始時間が、決定され得る。いくつかの実装では、ＬＡＡ−ＬＴＥチャネルは、ライセンス補助動作のために構成される非ライセンスキャリアである。ある場合には、決定は、進化型ＮｏｄｅＢ（ｅＮＢ）によるダウンリンク（ＤＬ）伝送に先立って、ｅＮＢによって行われ得る。代替として、または組み合わせて、決定は、ユーザ機器（ＵＥ）によるアップリンク（ＵＬ）伝送に先立って、ＵＥによって行われ得る。ハイブリッドプリアンブルの長さは、開始時間および所定の伝送時間境界に基づいて決定され得る。ある場合には、所定の伝送時間境界は、伝送時間間隔（ＴＴＩ）境界である。
【００３３】
ある場合には、ハイブリッドプリアンブルは、ＬＴＥ信号の長さを示す無線ローカルエリアネットワーク（ＷＬＡＮ）適合セクション（ＷＣＳ）を含み得る。これらの場合、ハイブリッドプリアンブルの長さは、無線ローカルエリアネットワーク（ＷＬＡＮ）適合セクション（ＷＣＳ）の持続時間に等しくあり得る。ある場合には、ハイブリッドプリアンブルは、無線ローカルエリアネットワーク（ＷＬＡＮ）適合セクション（ＷＣＳ）および可変長セクション（ＶＬＳ）を含み得る。ＷＣＳは、ＬＴＥ信号の長さを示し得る。ＶＬＳは、ハイブリッドプリアンブルの長さとＷＣＳの長さとの間の差異に基づいて決定される長さを有し得る。これらの場合、ハイブリッドプリアンブルの長さは、ＷＣＳの長さより大きくあり得る。ある場合には、ハイブリッドプリアンブルは、ハイブリッドプリアンブルの長さに基づいて決定される長さを有する可変長セクション（ＶＬＳ）を含む。
【００３４】
ハイブリッドプリアンブルの長さを決定することに続いて、決定された長さを有するハイブリッドプリアンブルは、伝送され得る。ある場合には、伝送は、ｅＮＢによって伝送されるＤＬ伝送であり得る。代替として、または組み合わせて、伝送は、ＵＥによって伝送される、ＵＬ伝送であり得る。ある場合には、ハイブリッドプリアンブルの伝送に先立って、ＬＴＥ信号の伝送を許可する伝送許可と、ハイブリッドプリアンブルの伝送電力レベルを示す指示とが受信され得る。指示は、ハイブリッドプリアンブルが通常電力レベルまたは低減電力レベルで伝送されることを示し得る。これらの場合、ハイブリッドプリアンブルは、指示に従って伝送され得る。
【００３５】
いくつかの実装では、ハイブリッドプリアンブルは、所定の伝送時間境界に先立って、第１のサブフレーム内で伝送され、ＬＴＥ信号は、所定の伝送時間境界後、第２のサブフレーム内で伝送される。ある場合には、ハイブリッドプリアンブルが伝送される第１のサブフレームは、第１のサブフレーム内のシンボルの一部のみを占有するように適合されるＬＴＥ信号を含む。これらの場合、ハイブリッドプリアンブルは、その一部内にないシンボルに対応する期間中に伝送される。ある場合には、第１のサブフレーム内で占有されるシンボルの一部は、サブフレームの開始にある。ある他の場合には、第１のサブフレーム内で占有されるシンボルの一部は、サブフレームの終了にある。
【００３６】
ハイブリッドプリアンブルに続いて、ロングタームエボリューション（ＬＴＥ）信号が、伝送され得る。いくつかの実装では、異なるＬＴＥ信号の伝送を許可する伝送許可が、受信され得る。伝送許可は、先行するハイブリッドプリアンブルなしに第２のＬＴＥ信号を伝送するための指示を含み得る。指示に応答して、第２のＬＴＥ信号は、先行するハイブリッドプリアンブルなしに伝送され得る。
【００３７】
本明細書に説明される方法およびシステムによりＬＡＡ−ＬＴＥ動作においてチャネルを共有することは、例えば、ＷＬＡＮデバイスが、ハイブリッドプリアンブルを介して、ＬＡＡ−ＬＴＥチャネル上でのＬＴＥ伝送を検出し、ＬＴＥ伝送の長さを決定することを可能にし得る。このアプローチは、ＬＴＥ伝送が完了されるまで、その受信機回路コンポーネントの一部をオフにし得るので、ＷＬＡＮデバイスが電力を節約することを可能にする。このアプローチはまた、ハイブリッドプリアンブルが、ハイブリッドプリアンブル内の既知のＷＬＡＮプリアンブルの存在により、より低い信号レベルでＷＬＡＮデバイスによって検出され得るので、ＬＴＥ伝送中にＷＬＡＮデバイスによって発生させられる干渉を緩和し得る。さらに、このアプローチは、ＦＤＤおよびＴＤＤ動作の両方のために、既存のＬＴＥフレーム構造と適合性があるハイブリッドプリアンブルを提供する。したがって、ＬＡＡ−ＬＴＥ動作は、直交周波数分割多重アクセス（ＯＦＤＭＡ）およびクロスキャリアスケジューリング等、ＬＴＥ特徴を再使用することができる。
【００３８】
高レベルでは、例示的無線通信システム１００は、ＵＥ１０２と、ＵＥ１０２と通信するように構成されるｅＮＢ１０４を含む、無線通信ネットワーク１１０とを含む。図示される実施例では、ＵＥ１０２は、ＵＬ伝送においてＬＡＡ−ＬＴＥチャネル１２０上でＬＴＥ信号をｅＮＢ１０４に伝送し得る。ｅＮＢ１０４は、ＤＬ伝送においてＬＡＡ−ＬＴＥチャネル１２０上でＬＴＥ信号をＵＥ１０２に伝送し得る。いくつかの事例では、ＬＡＡ−ＬＴＥチャネル１２０は、非ライセンスキャリアであり得る。
【００３９】
ＵＬ伝送では、ＵＥ１０２は、ＬＡＡ−ＬＴＥチャネル上で伝送するための開始時間を決定する。ＵＥ１０２は、開始時間および伝送時間間隔（ＴＴＩ）境界に基づいて、ハイブリッドプリアンブルの長さ（ｅＮＢへのＬＴＥ信号の伝送前に、ＵＥによって伝送される）を決定する。ＵＥ１０２は、ハイブリッドプリアンブルの長さを決定することに続いて、決定された長さを有するハイブリッドプリアンブルを伝送する。ハイブリッドプリアンブルに続いて、ＵＥ１０２は、ロングタームエボリューション（ＬＴＥ）信号を伝送する。
【００４０】
ＤＬ伝送では、ｅＮＢ１０４は、ＬＡＡ−ＬＴＥチャネル上で伝送するための開始時間を決定する。ｅＮＢ１０４は、開始時間および伝送時間間隔（ＴＴＩ）境界に基づいて、ハイブリッドプリアンブルの長さ（ＵＥへのＬＴＥ信号の伝送前に、ｅＮＢによって伝送される）を決定する。ｅＮＢ１０４は、ハイブリッドプリアンブルの長さを決定することに続いて、決定された長さを有するハイブリッドプリアンブルを伝送する。ハイブリッドプリアンブルに続いて、ｅＮＢ１０４は、ロングタームエボリューション（ＬＴＥ）信号を伝送する。図２−２３および関連付けられた説明は、ＵＬおよびＤＬ伝送の両方の追加の詳細を提供する。
【００４１】
要素の一般的な説明をすると、ＵＥは、モバイル電子デバイス、ユーザデバイス、移動局、加入者局、携帯用電子デバイス、モバイル通信デバイス、無線モデム、または無線端末と称され得る。ＵＥ（例えば、ＵＥ１０２）の例は、携帯電話、携帯情報端末（ＰＤＡ）、スマートフォン、ラップトップ、タブレットパーソナルコンピュータ（ＰＣ）、ポケットベル、携帯用コンピュータ、携帯用ゲームデバイス、装着型電子デバイス、または無線通信ネットワークを介して音声もしくはデータを伝達するためのコンポーネントを有する他のモバイル通信デバイスを含み得る。無線通信ネットワークは、ライセンススペクトルまたは非ライセンススペクトルのうちの少なくとも１つを経由した無線リンクを含み得る。
【００４２】
ＵＥの他の例は、モバイルおよび固定電子デバイスを含む。ＵＥは、モバイル機器（ＭＥ）デバイスと、加入者識別モジュール（ＳＩＭ）アプリケーション、汎用加入者識別モジュール（ＵＳＩＭ）アプリケーション、または取り外し可能ユーザ識別モジュール（Ｒ−ＵＩＭ）アプリケーションを含む汎用集積回路カード（ＵＩＣＣ）等の取り外し可能メモリモジュールとを含み得る。用語「ＵＥ」はまた、ユーザのための通信セッションを終了させ得る任意のハードウェアまたはソフトウェアコンポーネントを指すこともできる。加えて、用語「ユーザ機器」、「ＵＥ」、「ユーザ機器デバイス」、「ユーザエージェント」、「ＵＡ」、「ユーザデバイス」、および「モバイルデバイス」は、本明細書では同義的に使用されることができる。
【００４３】
無線通信ネットワーク１１０は、１つまたは複数の無線アクセスネットワーク（ＲＡＮ）、コアネットワーク（ＣＮ）、および外部ネットワークを含み得る。ＲＡＮは、１つ以上の無線アクセス技術を備え得る。いくつかの実装では、無線アクセス技術は、グローバルシステムフォーモバイルコミュニケーション（ＧＳＭ（登録商標））、暫定基準９５（ＩＳ−９５）、ユニバーサルモバイルテレコミュニケーションシステム（ＵＭＴＳ）、ＣＤＭＡ２０００（符号分割多重アクセス）、進化型ユニバーサルモバイルテレコミュニケーションシステム（ＵＭＴＳ）、ロングタームエボリューション（ＬＴＥ）、またはＬＴＥ＿Ａｄｖａｎｃｅｄであり得る。ある場合には、コアネットワークは、進化型パケットコア（ＥＰＣ）であり得る。
【００４４】
ＲＡＮは、ＵＭＴＳ、ＣＤＭＡ２０００、３ＧＰＰ  ＬＴＥ、および３ＧＰＰ  ＬＴＥ−Ａ等の無線アクセス技術を実装する、無線電気通信システムの一部である。多くの用途では、ＲＡＮは、少なくとも１つのｅＮＢ１０４を含む。ｅＮＢ１０４は、無線基地局であり得、無線基地局は、システムの固定部分内の全てまたは少なくともいくつかの無線関連機能を制御し得る。ｅＮＢ１０４は、それらの受信可能地域内で、またはＵＥ１０２が通信するためのセル内で無線インターフェースを提供し得る。ｅＮＢ１０４は、広い受信可能地域を提供するために、セルラーネットワークの全体を通して分散され得る。ｅＮＢ１０４は、１つもしくは複数のＵＥ、他の基地局、および１つ以上のコアネットワークノードに直接通信する。
【００４５】
図１に関して説明されるが、本開示は、そのような環境に限定されない。ｅＮＢ１０４は、異なる無線通信技術のいずれかに基づいて動作し得る。例示的無線技術は、グローバルシステムフォーモバイルコミュニケーション（ＧＳＭ（登録商標））、ユニバーサルモバイルテレコミュニケーションシステム（ＵＭＴＳ）、３ＧＰＰロングタームエボリューション（ＬＴＥ）、ＬＴＥ−アドバンスト（ＬＴＥ−Ａ）、無線広帯域通信技術、およびその他を含む。例示的無線広帯域通信システムは、ＩＥＥＥ８０２．１１無線ローカルエリアネットワーク、ＩＥＥＥ８０２．１６  ＷｉＭＡＸネットワーク、およびその他を含む。
【００４６】
図１の要素は、種々の特徴および機能性を実装する、種々のコンポーネント部品、部分、またはモジュールを含むように、図２２および２３に示されるが、これらの要素は、必要に応じて、代わりに、いくつかのサブモジュール、第三者サービス、コンポーネント、ライブラリ等を含み得る。さらに、種々のコンポーネントの特徴および機能性は、必要に応じて、より少ないコンポーネントに組み合わせられることができる。
【００４７】
図２は、第１のハイブリッドプリアンブル構造を図示する例示的タイミング図２００である。例示的タイミング図２００は、ハイブリッドプリアンブル２１０と、ＬＴＥ信号２０６とを含む。ハイブリッドプリアンブル２１０は、伝送エンティティ、例えば、ＵＬのためのＵＥまたはＤＬのためのｅＮＢが、非ライセンスキャリア上の伝送が可能にされることを決定する時間である開始時間２２０から開始する。動作時、ＷＬＡＮデバイスは、ハイブリッドプリアンブル２１０の伝送を検出し、チャネルが占有されていることを認識し得る。ハイブリッドプリアンブル２１０は、ＴＴＩ境界２２２で終了する。ＬＴＥ信号２０６は、ハイブリッドプリアンブル２１０の伝送後にＴＴＩ境界２２２において開始する。したがって、ＬＴＥ信号２０６の伝送は、ＬＴＥフレーム構造と適合性がある。
【００４８】
図示される実施例では、ハイブリッドプリアンブル２１０は、可変長セクション（ＶＬＳ）２０２およびＷＬＡＮ適合セクション（ＷＣＳ）２０４を含む。図示される実施例では、ＶＬＳ２０２は、ＷＣＳ２０４に先立って伝送されるが、ＶＬＳとＷＣＳとは、本明細書に後述されるように、逆にされ得る。ＷＣＳ２０４は、ＷＬＡＮデバイスによって伝送される信号に従ってフォーマットされ得、したがって、ＷＣＳ２０４は、ＷＬＡＮデバイスによって検出およびデコードされ得る。ＷＣＳ２０４は、ハイブリッドプリアンブル２１０に続いて伝送されるＬＴＥ信号の持続時間の指示を含み得る。したがって、ＷＬＡＮデバイスは、チャネルが占有されるであろう時間の長さを通知されるか、または別様に決定し、その回路をオフにし、バッテリ電力を節約し得る。
【００４９】
いくつかの実装では、ＷＣＳ２０４は、ＷＬＡＮ技術に従って規定された長さを有する。この長さは、図示される実施例では、ＴＷＣＳとして示される。ハイブリッドプリアンブル２１０の長さは、ＴＨＰとして示され、開始時間２２０から開始し、ＴＴＩ境界２２２で終了する。図示される実施例では、ハイブリッドプリアンブル２１０の長さは、ＷＣＳ２０４の長さより大きく、したがって、ＶＬＳ、すなわち、ＶＬＳ２０２は、ハイブリッドプリアンブル２１０内に含まれる。ＶＬＳ２０２は、チャネルを占有するために使用され得る。ある場合には、開始時間２２０は、任意の時間で生じ得る一方、ＴＴＩ境界２２２は、固定された時間境界で生じる。したがって、ハイブリッドプリアンブル２１０の長さは、変動し得る。ＷＣＳ２０４の長さは、固定されているので、ＴＬＶＳとして示されるＶＬＳ２０２の長さも、変動し得る。ある場合には、ＶＬＳ２０２の長さは、ハイブリッドプリアンブル２１０の長さとＷＣＳ２０４の長さの差異であり得る。ある場合には、ＶＬＳ２０２の長さは、ＶＬＳ２０２内の伝送中の任意のギャップの長さだけ短縮され得る。ギャップは、ＷＬＡＮデバイスが、ギャップ中の間に媒体を占有し得ないように、十分に小さくあり得る。例えば、ギャップは、ＷＬＡＮ技術では、ショートフレーム間間隔（ＳＩＦＳ）未満であり得る。ある場合には、ＳＩＦＳは、８０２．１１ｎに対して２．５ＧＨｚで約１０μ秒または８０２．１１ａおよび８０２．１１ｃに対して約１６μ秒であり得る。このアプローチは、ＶＬＳ２０２とＷＣＳ２０４との間で移行する場合、送信機の実装を簡略化し得る。加えて、このアプローチは、ギャップがＷＬＡＮ伝送中のアイドル期間と同様に機能し得るので、チャネルを監視するＷＬＡＮデバイスがＷＣＳ２０４を正しくデコードし得る確率を増加させ得る。
【００５０】
ある場合には、ＶＬＳ２０２は、既知のプリアンブル配列を含み得る。既知のプリアンブル配列の例は、ダウンリンクにおけるセル特定参照信号、アップリンクにおけるサウンディング参照信号配列、ショートトレーニングフィールド（Ｌ−ＳＴＦ）もしくはロングトレーニングフィールド（Ｌ−ＬＴＦ）等のＷＬＡＮ特定プリアンブル、または他のプリアンブル配列を含み得る。ある場合には、既知のプリアンブル配列は、所望の長さのＶＬＳを構築するために、数回繰り返され得る。既知のプリアンブルセクション配列は、チャネル推定目的のために、受信ＬＡＡ−ＬＴＥデバイスによって使用され得る。いくつかの実装では、受信機は、ＶＬＳの開始時間、次のＴＴＩ境界、およびＷＣＳの長さに基づいて、ＶＬＳの長さを計算し得る。
【００５１】
図３は、第１のハイブリッドプリアンブル構造内でシグナリングフィールド（Ｌ−ＳＩＧ）を使用した長さ指示を図示する例示的タイミング図３００である。例示的タイミング図３００は、ハイブリッドプリアンブル３１０およびＬＴＥ信号３０６を含む。ハイブリッドプリアンブル３１０は、伝送エンティティ、例えば、ＵＬのためのＵＥまたはＤＬのためのｅＮＢが、非ライセンスキャリア上の伝送が可能にされることを決定する時間である開始時間３２０から開始する。動作時、ＷＬＡＮデバイスは、ハイブリッドプリアンブル３１０の伝送を検出し、チャネルが占有されていることを認識し得る。ハイブリッドプリアンブル３１０は、ＴＴＩ境界３２２の第１の側で終了する。ＬＴＥ信号３０６は、ＴＴＩ境界３２２の別の隣接する側から開始する。したがって、ＬＴＥ信号３０６の伝送は、ＬＴＥフレーム構造と適合性がある。図示される実施例では、ハイブリッドプリアンブル３１０は、ＶＬＳ３０２およびＷＣＳ３０４を含む。図示される実施例では、ＶＬＳ３０２は、ＷＣＳ３０４に先立って伝送される。
【００５２】
図示される実施例では、ＷＣＳ３０４は、Ｌ−ＳＴＦ３１２、Ｌ−ＬＴＦ３１４、およびＬ−ＳＩＧ３１６を含む。Ｌ−ＳＴＦ３１２、Ｌ−ＬＴＦ３１４、およびＬ−ＳＩＧ３１６は、ＷＬＡＮデバイスによって検出可能な旧来のフィールドである。いくつかの実装では、Ｌ−ＳＴＦ３１２およびＬ−ＬＴＦ３１４は、いくつかのＷＬＡＮデバイス、例えば、８０２．１１ｎ技術に基づいて動作するデバイスに既知のプリアンブルである。いくつかの実装では、ＷＬＡＮデバイスはまた、Ｌ−ＳＴＦ３１２およびＬ−ＬＴＦ３１４を検出することによって、信号を検出すること、周波数オフセット推定を行うこと、またはタイミング同期を行うことができる。Ｌ−ＳＴＦ３１２およびＬ−ＬＴＦ３１４は、いくつかのＷＬＡＮデバイスに既知のプリアンブルであるので、これらのＷＬＡＮデバイスは、より低い信号レベルで媒体上の伝送を検出し得る。いくつかの事例では、Ｌ−ＳＩＧ３１６は、ハイブリッドプリアンブル３１０後に伝送されるＬＴＥ信号３０６の長さを示す情報を含み得る。いくつかの実装では、ＬＴＥ信号の長さは、規格内で固定され、例えば、規定され得る。いくつかの実装では、ＬＴＥ信号の長さは、変動され、伝送ノード（すなわち、ＤＬにおけるｅＮＢおよびＵＬにおけるＵＥ）によって決定され得る。代替として、ＬＴＥ信号の長さは、伝送方向にかかわらず（すなわち、ＤＬおよびＵＬ伝送の両方のために）、ｅＮＢによって決定され得、これは、ＵＥに信号伝達される。
【００５３】
いくつかの実装では、Ｌ−ＳＩＧ３１６は、６Ｍｂｐｓのレートでの伝送を仮定して、バイトで設定されることができる。例えば、Ｌ−ＳＩＧ３１６は、以下の方程式に基づいて設定されることができる。
【００５４】
Ｌ−ＳＩＧ＝ｎ×［１ｍｓ×６ｍｂｐｓ］＝（ｎ×７５０）バイト、式中、ｎは、ＬＴＥ信号３０６内に含まれ得る連続ＴＴＩの数を示す。
【００５５】
ある場合には、ｎの最大値（すなわち、Ｎｍａｘ）は、規制要件に基づいて決定され得る。
【００５６】
図４は、第１のハイブリッドプリアンブル構造内で送信可（ＣＴＳ）メッセージを使用した長さ指示を図示する例示的タイミング図４００である。例示的タイミング図４００は、ハイブリッドプリアンブル４１０およびＬＴＥ信号４０６を含む。ハイブリッドプリアンブル４１０は、伝送エンティティ、例えば、ＵＬのためのＵＥまたはＤＬのためのｅＮＢが、非ライセンスキャリア上の伝送が可能にされることを決定する時間である開始時間４２０から開始する。動作時、ＷＬＡＮデバイスは、ハイブリッドプリアンブル４１０の伝送を検出し、チャネルが占有されていることを認識し得る。ハイブリッドプリアンブル４１０は、ＴＴＩ境界４２２の片側で終了する。ＬＴＥ信号４０６は、ＴＴＩ境界４２２の他側から開始する。したがって、ＬＴＥ信号４０６の伝送は、ＬＴＥフレーム構造と適合性がある。図示される実施例では、ハイブリッドプリアンブル４１０は、ＶＬＳ４０２およびＷＣＳ４０４を含む。図示される実施例では、ＶＬＳ４０２は、ＷＣＳ４０４に先立って伝送される。
【００５７】
図示される実施例では、ＷＣＳ４０４は、ＣＴＳメッセージを含む。ＣＴＳメッセージは、ハイブリッドプリアンブル４１０後に伝送されるＬＴＥ信号４０６の長さを示す持続時間を含み得る。持続時間は、Ｌ−ＳＩＧフィールドと類似様式で設定され得る。いくつかの実装では、ＷＬＡＮデバイスは、ＣＴＳメッセージ内の持続時間フィールドを使用して、仮想キャリア感知機構を実施し、ネットワーク配分ベクトル（ＮＡＶ）を更新し得る。持続時間は、媒体が、示されるような期間中、ビジーである可能性が高いことを示し、したがって、ＷＬＡＮデバイスは、持続時間の終了まで、その回路コンポーネントの一部をオフにし得る。いくつかの実装では、ＷＣＳ４０４は、持続時間フィールドを含む送信要求（ＲＴＳ）メッセージを含み得る。
【００５８】
図５は、可変長セクション（ＶＬＳ）を伴わない第１のハイブリッドプリアンブル構造を図示する例示的タイミング図５００である。そのようなハイブリッドプリアンブルは、ＴＴＩ境界に到達するまでの時間がＷＣＳの持続時間に実質的に等しいときに構築され得る。例示的タイミング図５００は、ハイブリッドプリアンブル５１０およびＬＴＥ信号５０６を含む。ハイブリッドプリアンブル５１０は、伝送エンティティ、例えば、ＵＬのためのＵＥまたはＤＬのためのｅＮＢが、非ライセンスキャリア上の伝送が可能にされることを決定する時間である開始時間５２０から開始する。動作時、ＷＬＡＮデバイスは、ハイブリッドプリアンブル５１０の伝送を検出し、チャネルが占有されていることを認識し得る。ハイブリッドプリアンブル５１０は、ＴＴＩ境界５２２で終了する。ＬＴＥ信号５０６は、ＴＴＩ境界５２２から開始する。したがって、ＬＴＥ信号５０６の伝送は、ＬＴＥフレーム構造と適合性がある。図示される実施例では、ハイブリッドプリアンブル５１０は、ＷＣＳを含むが、ＶＬＳを含まない。ハイブリッドプリアンブル５１０の長さは、ＷＣＳの固定長に等しい。
【００５９】
図６は、ＷＣＳを伴わない第１のハイブリッドプリアンブル構造を図示する例示的タイミング図６００である。例示的タイミング図６００は、ハイブリッドプリアンブル６１０およびＬＴＥ信号６０６を含む。ハイブリッドプリアンブル６１０は、伝送エンティティ、例えば、ＵＬのためのＵＥまたはＤＬのためのｅＮＢが、非ライセンスキャリア上の伝送が可能にされることを決定する時間である開始時間６２０から開始する。動作時、ＷＬＡＮデバイスは、ハイブリッドプリアンブル６１０の伝送を検出し、チャネルが占有されていることを認識し得る。ハイブリッドプリアンブル６１０は、ＴＴＩ境界６２２で終了する。ＬＴＥ信号６０６は、ＴＴＩ境界６２２から開始する。したがって、ＬＴＥ信号６０６の伝送は、ＬＴＥフレーム構造と適合性がある。図示される実施例では、ハイブリッドプリアンブル６１０の長さは、ＷＣＳの固定長より小さい。図示される実施例では、ハイブリッドプリアンブル６１０は、ＶＬＳを含むが、ＷＣＳを含まない。この場合、ＶＬＳの長さは、ハイブリッドプリアンブル６１０の長さと同一である。このシナリオは、ＷＣＳが次のＴＴＩ境界（６２２）と伝送が始まり得る現時点（６２０）との間の時間と比較してより長い持続時間を有するので、伝送エンティティが、固定ＷＣＳがハイブリッドプリアンブル内に含まれることがでないことを決定するときに生じ得る。ある事例では、そのようなハイブリッドプリアンブルは、例えば、伝送エンティティが、次のＴＴＩ境界を待つ必要なしにＬＴＥ信号を伝送することを望むとき、ＷＣＳを伴わずに構築され得る。故に、ハイブリッドプリアンブルは、ＷＣＳを伴わずに伝送され、ＶＬＳが、ショートトレーニングフィールド（Ｌ−ＳＴＦ）またはロングトレーニングフィールド（Ｌ−ＬＴＦ）等の既知のＷＬＡＮ特定プリアンブル、もしくは他のプリアンブル配列を含み得るので、ＷＬＡＮデバイスがその上で伝送することを防止することによって、チャネルを保有し得る。さらに、既知のプリアンブル配列は、ＴＴＩ境界に到達するまで所望の長さのＶＬＳを構築するために、数回繰り返され得る。
【００６０】
図７は、拡張された第１のハイブリッドプリアンブル構造を図示する例示的タイミング図７００である。例示的タイミング図７００は、ＴＴＩ境界７２２、７２４、および７２６を含む。タイミング図７００は、チャネルが伝送を処理するために利用可能であるかどうかを決定するためにチャネルが感知される空きチャネル査定（ＣＣＡ）期間７３２を含む。いくつかの実装では、チャネルは、例えば、ＤＬのためのｅＮＢまたはＵＬのためのＵＥによって感知され得る。ある場合には、伝送エンティティは、チャネルのエネルギーを推定し、チャネルが利用可能であるかどうかを感知し得る。タイミング図７００はまた、ハイブリッドプリアンブル７５０およびＬＴＥ信号７０６を含む。ハイブリッドプリアンブル７５０は、チャネルが伝送のために利用可能であることが決定される、開始時間７４２から開始する。図示される実施例では、開始時間７４２と次のＴＴＩ境界７２４との間の時間は、ＷＣＳの持続時間より小さい。図示される実施例では、ハイブリッドプリアンブル７５０は、続くＴＴＩ境界７２６まで拡張する。図示される実施例では、ハイブリッドプリアンブル７５０は、ＷＣＳ７０４およびＶＬＳ７０２を含む。図示される実施例では、ＶＬＳ７０２は、ＷＣＳ７０４に先立って伝送される。
【００６１】
いくつかの実装では、第２のハイブリッドプリアンブル構造が、使用され得る。第２のハイブリッドプリアンブル構造では、ＷＣＳは、ＶＬＳの前に伝送され、図２−７に関して説明されるようなその逆（すなわち、ＷＣＳの前にＶＬＳ）ではない。図８−１３および関連付けられた説明は、これらの実装の追加の詳細を提供する。
【００６２】
図８は、第２のハイブリッドプリアンブル構造を図示する例示的タイミング図８００である。例示的タイミング図８００は、ハイブリッドプリアンブル８１０およびＬＴＥ信号８０６を含む。ハイブリッドプリアンブル８１０は、伝送エンティティ、例えば、ＵＬのためのＵＥまたはＤＬのためのｅＮＢが、非ライセンスキャリア上の伝送が可能にされることを決定する時間である開始時間８２０から開始する。動作時、ＷＬＡＮデバイスは、ハイブリッドプリアンブル８１０の伝送を検出し、チャネルが占有されていることを認識し得る。ハイブリッドプリアンブル８１０は、ＴＴＩ境界８２２で終了する。ＬＴＥ信号８０６は、ＴＴＩ境界８２２から開始する。したがって、ＬＴＥ信号８０６の伝送は、ＬＴＥフレーム構造と適合性がある。図示される実施例では、ハイブリッドプリアンブル８１０は、ＶＬＳ８０２およびＷＣＳ８０４を含む。図示される実施例では、ＶＬＳ８０２は、ＷＣＳ８０４後に伝送される。ＷＣＳ８０４は、ＷＬＡＮデバイスによって伝送される信号に従ってフォーマットされ得、したがって、ＷＣＳ８０４は、ＷＬＡＮデバイスによって検出およびデコードされ得る。ＷＣＳ８０４は、ＬＴＥ信号の持続時間の指示を含み得る。したがって、ＷＬＡＮデバイスは、チャネルが占有されるであろう時間の長さを決定し、その回路をオフにし、バッテリ電力を節約し得る。前述のように、ＶＬＳ８０２の長さは、ハイブリッドプリアンブル８１０の長さおよびＷＣＳ８０４の長さに基づいて決定され得る。ある場合には、ＶＬＳ８０２は、既知のプリアンブル配列を含み得る。
【００６３】
図９は、第２のハイブリッドプリアンブル構造内でシグナリングフィールド（Ｌ−ＳＩＧ）を使用した長さ指示を図示する例示的タイミング図９００である。例示的タイミング図９００は、ハイブリッドプリアンブル９１０およびＬＴＥ信号９０６を含む。ハイブリッドプリアンブル９１０は、伝送エンティティ、例えば、ＵＬのためのＵＥまたはＤＬのためのｅＮＢが、非ライセンスキャリア上の伝送が可能にされることを決定する時間である開始時間９２０から開始する。動作時、ＷＬＡＮデバイスは、ハイブリッドプリアンブル９１０の伝送を検出し、チャネルが占有されていることを認識し得る。ハイブリッドプリアンブル９１０は、ＴＴＩ境界９２２で終了する。ＬＴＥ信号９０６は、ＴＴＩ境界９２２から開始する。したがって、ＬＴＥ信号９０６の伝送は、ＬＴＥフレーム構造と適合性がある。図示される実施例では、ハイブリッドプリアンブル９１０は、ＶＬＳ９０２およびＷＣＳ９０４を含む。図示される実施例では、ＶＬＳ９０２は、ＷＣＳ９０４後に伝送される。図示される実施例では、ＷＣＳ９０４は、Ｌ−ＳＴＦ９１２、Ｌ−ＬＴＦ９１４、およびＬ−ＳＩＧ９１６を含む。いくつかの実装では、Ｌ−ＳＴＦ９１２およびＬ−ＬＴＦ９１４は、いくつかのＷＬＡＮデバイスに既知のプリアンブルである。いくつかの事例では、Ｌ−ＳＩＧ９１６は、ＬＴＥ信号９０６の長さを示す情報を含み得る。
【００６４】
図１０は、第２のハイブリッドプリアンブル構造内で送信可（ＣＴＳ）メッセージを使用した長さ指示を図示する例示的タイミング図１０００である。例示的タイミング図１０００は、ハイブリッドプリアンブル１０１０およびＬＴＥ信号１００６を含む。ハイブリッドプリアンブル１０１０は、伝送エンティティ、例えば、ＵＬのためのＵＥまたはＤＬのためのｅＮＢが、非ライセンスキャリア上の伝送が可能にされることを決定する時間である開始時間１０２０から開始する。動作時、ＷＬＡＮデバイスは、ハイブリッドプリアンブル１０１０の伝送を検出し、チャネルが占有されていることを認識し得る。ハイブリッドプリアンブル１０１０は、ＴＴＩ境界１０２２で終了する。ＬＴＥ信号１００６は、ＴＴＩ境界１０２２から開始する。したがって、ＬＴＥ信号１００６の伝送は、ＬＴＥフレーム構造と適合性がある。図示される実施例では、ハイブリッドプリアンブル１０１０は、ＶＬＳ１００２およびＷＣＳ１００４を含む。図示される実施例では、ＶＬＳ１００２は、ＷＣＳ１００４後に伝送される。図示される実施例では、ＷＣＳ１００４は、ＣＴＳメッセージを含む。ＣＴＳメッセージは、ＬＴＥ信号１００６の長さを示す持続時間を含み得る。持続時間は、Ｌ−ＳＩＧフィールドと類似様式で設定され得る。
【００６５】
図１１は、可変長セクション（ＶＬＳ）を伴わない第２のハイブリッドプリアンブル構造を図示する例示的タイミング図１１００である。例示的タイミング図１１００は、ハイブリッドプリアンブル１１１０およびＬＴＥ信号１１０６を含む。ハイブリッドプリアンブル１１１０は、伝送エンティティ、例えば、ＵＬのためのＵＥまたはＤＬのためのｅＮＢが、非ライセンスキャリア上の伝送が可能にされることを決定する時間である開始時間１１２０から開始する。動作時、ＷＬＡＮデバイスは、ハイブリッドプリアンブル１１１０の伝送を検出し、チャネルが占有されていることを認識し得る。ハイブリッドプリアンブル１１１０は、ＴＴＩ境界１１２２で終了する。ＬＴＥ信号１１０６は、ＴＴＩ境界１１２２から開始する。したがって、ＬＴＥ信号の伝送１１０６は、ＬＴＥフレーム構造と適合性がある。図示される実施例では、ハイブリッドプリアンブル１１１０の長さは、ＷＣＳの固定長に等しい。したがって、ハイブリッドプリアンブル１１１０は、ＷＣＳを含むが、ＶＬＳを含まない。
【００６６】
図１２は、ＷＣＳを伴わない第２のハイブリッドプリアンブル構造を図示する例示的タイミング図１２００である。例示的タイミング図１２００は、ハイブリッドプリアンブル１２１０およびＬＴＥ信号１２０６を含む。ハイブリッドプリアンブル１２１０は、伝送エンティティ、例えば、ＵＬのためのＵＥまたはＤＬのためのｅＮＢが、非ライセンスキャリア上の伝送が可能にされることを決定する時間である開始時間１２２０から開始する。動作時、ＷＬＡＮデバイスは、ハイブリッドプリアンブル１２１０の伝送を検出し、チャネルが占有されていることを認識し得る。ハイブリッドプリアンブル１２１０は、ＴＴＩ境界１２２２で終了する。ＬＴＥ信号１２０６は、ＴＴＩ境界１２２２から開始する。したがって、ＬＴＥ信号の伝送１２０６は、ＬＴＥフレーム構造と適合性がある。図示される実施例では、ハイブリッドプリアンブル１２１０の長さは、ＷＣＳの固定長より小さい。図示される実施例では、ハイブリッドプリアンブル１２１０は、ＶＬＳを含むが、ＷＣＳを含まない。この場合、ＶＬＳの長さは、ハイブリッドプリアンブル１２１０の長さと同一である。
【００６７】
図１３は、拡張された第２のハイブリッドプリアンブル構造を図示する例示的タイミング図１３００である。例示的タイミング図１３００は、ＴＴＩ境界１３２２、１３２４、および１３２６を含む。タイミング図１３００は、チャネルが利用可能であるかどうかを決定するためにチャネルが感知される空きチャネル査定（ＣＣＡ）期間１３３２を含む。タイミング図１３００はまた、ハイブリッドプリアンブル１３５０およびＬＴＥ信号１３０６を含む。ハイブリッドプリアンブル１３１０は、チャネルがアクセスのために利用可能である開始時間１３４２から開始する。図示される実施例では、開始時間１３４２と次のＴＴＩ境界１３２４との間の時間は、ＷＣＳの持続時間より小さい。図示される実施例では、ハイブリッドプリアンブル１３５０は、続くＴＴＩ境界１３２６まで拡張する。図示される実施例では、ハイブリッドプリアンブル１３５０は、ＷＣＳ１３０４およびＶＬＳ１３０２を含む。図示される実施例では、ＶＬＳ１３０２は、ＷＣＳ１３０４後に伝送される。
【００６８】
一般に、ハイブリッドプリアンブルは、ＶＬＳもしくはＷＣＳのいずれかまたは両方を備えている。ＶＬＳおよびＷＣＳの両方が、ハイブリッドプリアンブル内に含まれるとき、いずれかの順序（すなわち、ＶＬＳの前にＷＣＳまたはＷＣＳの前にＶＬＳ）で伝送され得る。ＷＣＳは、ＷＬＡＮと適合性がある任意の信号を備え得、ＨＰに続くＬＴＥ信号の長さの指示を含み得る。ＷＣＳは、ＣＴＳもしくはＲＴＳ信号またはＬ−ＳＴＦ、Ｌ−ＬＴＦ、およびＬ−ＳＩＧフィールドの組み合わせを備え得る。伝送ノードは、ＴＴＩ境界に到達するまで、ハイブリッドプリアンブルを伝送し、その後、ＬＴＥ信号が続く。図１４は、ロードベース機器（ＬＢＥ）動作におけるダウンリンク（ＤＬ）ハイブリッドプリアンブル構造を図示する例示的タイミング図１４００である。図示されるハイブリッドプリアンブルは、ＴＤＤシステムまたはＦＤＤシステムのいずれかで使用され得る。タイミング図１４００は、サブフレーム１４４２を含む、ＬＴＥフレーム１４４０を含む。タイミング図１４００はまた、ＣＣＡ期間１４３２、ハイブリッドプリアンブル１４１０、およびＬＴＥ信号１４０６を含む。加えて、タイミング図１４００は、ＴＴＩ境界１４２２および１４２４を含む。
【００６９】
図示される実施例では、送信機は、ＣＣＡおよびハイブリッドプリアンブル伝送のためにサブフレーム１４４２を使用し得る。そのような場合、ＬＴＥフレーム１４４０内の最後のサブフレームであるサブフレーム１４４２は、ＬＴＥフレーム１４４０内の伝送のために使用されないこともある。図示される実施例では、ＣＣＡ期間１４３２は、ＴＴＩ境界１４２２から開始する。ＬＢＥ動作では、デバイスは、非ライセンスキャリア上で伝送する前に、「エネルギー検出」を使用して、空きチャネル査定（ＣＣＡ）チェックを行い得る。ある場合には、ＣＣＡ期間１４３２は、１８μｓを上回り得る。ハイブリッドプリアンブル１４１０は、チャネルがＣＣＡに基づいて伝送のために利用可能である開始時間１４２０から開始する。ハイブリッドプリアンブル１４１０は、ＴＴＩ境界１４２４で終了し、そこでＬＴＥ信号１４０６が開始する。ある場合には、ＬＴＥ信号１４０６は、規制要件に基づいて、最大１０ｍｓを占有し得る。
【００７０】
図１５は、フレームベース機器（ＦＢＥ）動作におけるダウンリンク（ＤＬ）ハイブリッドプリアンブル構造を図示する例示的タイミング図１５００である。図示されるハイブリッドプリアンブルは、ＴＤＤシステムまたはＦＤＤシステムのいずれかで使用され得る。タイミング図１５００は、スロット１５４２を含むＬＴＥフレーム１５４０を含む。タイミング図１５００はまた、アイドル期間１５３４、ＣＣＡ期間１５３２、ハイブリッドプリアンブル１５１０、およびＬＴＥ信号１５０６を含む。加えて、タイミング図１４００は、ＴＴＩ境界１５２４を含む。
【００７１】
ＦＢＥ動作では、デバイスは、非ライセンスキャリア上で伝送する前に、「エネルギー検出」を使用して、空きチャネル査定（ＣＣＡ）チェックを行い得る。チャネル占有時間は、約１ｍｓ〜約１０ｍｓの範囲内であり得る。アイドル期間は、ＣＣＡの前に含まれ得る。ある場合には、アイドル期間は、現在の伝送期間のためにデバイスによって使用されるチャネル占有時間の少なくとも５％であり得る。
【００７２】
図示される実施例では、ｅＮＢは、ＣＣＡおよびハイブリッドプリアンブル伝送のために、スロット１５４２を使用し得る。そのような場合、ｅＮＢは、ＬＴＥフレーム１５４０内の最後のスロットであるスロット１５４２内でＤＬ  ＬＴＥ信号伝送を伝送しないこともある。図示される実施例では、アイドル期間１５３４は、スロット１５４２に先立って、ＴＴＩ境界から開始し（すなわち、スロット１５４２に先行するスロットの開始時）、その後、ＣＣＡ期間１５３２が続く。ある場合には、ＣＣＡ期間１５３２は、約１８μｓを上回り得る。ハイブリッドプリアンブル１５１０は、チャネルがＣＣＡに基づいて伝送のために利用可能である開始時間１５２０から開始する。ハイブリッドプリアンブル１５１０は、ＴＴＩ境界１５２４で終了し、そこで、ＬＴＥ信号１５０６が開始する。図示される実施例では、スロット１５４２直前のスロットは、伝送されず、アイドル期間と称され、すなわち、断続伝送（ＤＴＸ）モードである。
【００７３】
図１６は、ダウンリンク（ＤＬ）パンクチャードＬＴＥサブフレーム内のハイブリッドプリアンブル構造を図示する例示的タイミング図１６００である。図示されるハイブリッドプリアンブルは、ＴＤＤシステムまたはＦＤＤシステムのいずれかで使用され得る。タイミング図１６００は、ＬＴＥサブフレーム１６４０を含む。タイミング図１６００はまた、アイドル期間１６３４、ＣＣＡ期間１６３２、およびハイブリッドプリアンブル１６１０を含む。加えて、タイミング図１６００は、ＴＴＩ境界１６２４から開始する、ＬＴＥ信号１６０６を含む。
【００７４】
図示される実施例では、ＬＴＥサブフレーム１６４０が、パンクチャーされ得る。ある場合には、ＬＴＥサブフレーム１６４０内の１つのＯＦＤＭシンボルが、ＣＣＡおよびハイブリッドプリアンブル伝送のために使用され、したがって、ＬＴＥ信号伝送のために使用されない。これらの場合、ＯＦＤＭシンボルは、非伝送ＯＦＤＭシンボルである。図示される実施例では、最後のＯＦＤＭシンボルが、ＬＴＥサブフレーム１６４０内の非伝送ＯＦＤＭシンボルである。ある場合には、非伝送ＯＦＤＭシンボルは、ＬＴＥサブフレーム内の第１のＯＦＤＭシンボルであり得る。ある場合には、２つ以上のＯＦＤＭシンボルが、伝送されないこともあり、非伝送ＯＦＤＭシンボルは、ＬＴＥサブフレーム内の任意の位置に位置し得る。ある場合には、送信機は、伝送における他のサブフレームと同一データ量をパンクチャードＬＴＥサブフレーム１６４０内で伝送し得る。これらの場合、ＬＴＥサブフレーム１６４０のコードレートは、他のサブフレームより高くあり得る。図示される実施例では、アイドル期間１６３４は、最後のＯＦＤＭシンボルが開始すると開始し、その後、ＣＣＡ期間１６３２が続く。ある場合には、アイドル期間１６３４の持続時間は、約５０μｓであり得る。ある場合には、ＣＣＡ期間１６３２は、約１８μｓを上回り得る。ハイブリッドプリアンブル１６１０は、チャネルがＣＣＡに基づいてアクセスのために利用可能である開始時間１６２０から開始する。ハイブリッドプリアンブル１６１０は、ＴＴＩ境界１６２４で終了し、そこでＬＴＥ信号１６０６が開始する。いくつかの実装では、例えば、ＬＢＥ動作では、アイドル期間１６３４は、省略され得る。このアプローチは、ＣＣＡおよびハイブリッドプリアンブル伝送のためのオーバーヘッドを低減させ得る。ある場合には、このアプローチは、ｅＮＢスケジューラがＴＴＩ毎ベースでチャネルにアクセスするかどうかを決定するときに使用され得る。
【００７５】
図１７は、構成可能伝送電力を伴うハイブリッドプリアンブル構造を図示する例示的タイミング図である。ある場合には、ＬＡＡ−ＬＴＥチャネルのＵＬ伝送は、スケジュールモードで動作し得る。例えば、ｅＮＢは、非ライセンスキャリアのアップリンク内の所与のサブフレーム上で伝送するためのアップリンク許可をＵＥのうちの１つ以上に対して信号伝達し得る。許可は、ライセンスまたは非ライセンススペクトルのいずれで動作する別個の対のダウンリンクキャリア上、またはＴＤＤ様式で同じキャリア周波数上で送信され得る。クロスキャリアスケジューリングは、例えば、スケジューリングが、異なるアップリンクキャリアと対のダウンリンクキャリア上で伝送される場合、使用され得る。
【００７６】
一般に、ＬＴＥフレーム構造の一部は、ＬＴＥ信号伝送のために使用されずに残され得る。これは、ＬＴＥフレーム構造のこれらの未使用部分におけるＣＣＡおよび送信機によるハイブリッドプリアンブルの伝送を促進するために行われる。未使用ＬＴＥフレーム構造のこの部分は、ＬＴＥスロットもしくはＬＴＥサブフレームまたは所与のサブフレーム内のＬＴＥ  ＯＦＤＭシンボルのうちの１つ以上のものであり得る。ＬＡＡ送信機は、ハイブリッドプリアンブルをＬＴＥフレーム構造のこの未使用部分において伝送し得る。フレーム構造の未使用部分は、ある期間にわたって測定されるＬＡＡ−ＬＴＥ信号の全体的チャネル占有が規制要件によって課される限界を超えないように、離間される。
【００７７】
ダウンリンク伝送と同様に、ＬＡＡ−ＬＴＥチャネル上でのアップリンク伝送も、１つ以上の連続ＴＴＩの間、続き得る。ＵＬが占有されるであろう連続ＴＴＩの数は、ｅＮＢによって決定され、ＵＥに信号伝達され得る。ある場合には、連続ＴＴＩの数は、仕様に規定され得る。ある場合には、複数のＵＥが、ＵＬにおいて所与のＴＴＩ上で伝送することができる。所与のＵＬ  ＴＴＩ上で伝送する全ＵＥが、ハイブリッドプリアンブルを伝送する場合、クロストークおよびデコード失敗をＷＬＡＮデバイスにもたらし得る。ある場合には、ｅＮＢは、１つまたはいくつかのスケジュールされたＵＥに、ハイブリッドプリアンブルを通常出力電力で伝送するように指示し得る。ある場合には、通常出力電力レベルは、帯域内の最大公称許容ＵＬ出力電力であり得る。代替として、または組み合わせて、通常出力レベルは、ＵＥに信号伝達され得る。ある場合には、通常出力電力レベルは、ハイブリッドプリアンブルに続くＬＴＥ信号の伝送のために使用される同一出力電力レベルであり得る。他のＵＥは、ＣＣＡを行い得るが、ハイブリッドプリアンブルを公称出力電力で伝送することを控える。ある場合には、いくつかのＵＥは、ハイブリッドプリアンブルをＤＴＸし得る（すなわち、伝送しないこともある）。代替として、または組み合わせて、いくつかのＵＥは、ハイブリッドプリアンブルをより低い電力で伝送し得る。このアプローチは、ＷＬＡＮデバイスが、１つ以上のハイブリッドプリアンブルを検出することを可能にし得る。
【００７８】
ある場合には、ｅＮＢは、ハイブリッドプリアンブルをＤＴＸすべき、またはハイブリッドプリアンブルを低減電力で伝送すべきＵＥを、セル内のＵＥの場所に基づいて、選択し得る。例えば、ｅＮＢは、ハイブリッドプリアンブルを通常電力レベルで伝送するようにセル内で最も遠く離れたＵＥを構成し得る。ｅＮＢは、これらのＵＥの周囲の他のＵＥが、ハイブリッドプリアンブルをＤＴＸするか、またはハイブリッドプリアンブルを低減電力レベルで伝送するように構成し得る。ある場合には、ｅＮＢは、ランダムに、ラウンドロビン方式で、またはＵＥからｅＮＢへの以前のバッテリステータス指示に基づいて、ハイブリッドプリアンブルをＤＴＸすべき、またはハイブリッドプリアンブルを低減電力レベルで伝送すべきＵＥを選択し得る。例えば、ｅＮＢは、ハイブリッドプリアンブルをＤＴＸし、バッテリ電力を節約するために電力制約ステータスを示すＵＥを選択し得る。
【００７９】
いくつかの実装では、ｅＮＢは、ハイブリッドプリアンブルを通常電力もしくは低減電力で伝送するか、またはハイブリッドプリアンブルをＤＴＸするようにＵＥを構成するための指示をＵＥに送信し得る。いくつかの実装では、ｅＮＢは、ＵＬ許可とともに、またはＵＬ許可の一部として、例えば、ＰＤＣＣＨチャネル上で指示を伝送し得る。いくつかの実装では、ｅＮＢは、指示を無線リソース制御（ＲＲＣ）構成の一部として伝送し得る。
【００８０】
ある場合には、ハイブリッドプリアンブルを伝送するために使用される低減された出力電力レベルは、事前に構成された低出力電力レベルであり得る。低減された出力電力レベルはまた、後続ＬＴＥ信号伝送電力レベルまたは最大公称出力電力レベルのいずれかより事前に構成された量だけ低い、電力レベルであり得る。
【００８１】
図１７に目を向けると、タイミング図１７００は、第１のＵＥ１７７０と、第２のＵＥ１７８０とのためのプリアンブル構造を含む。第１のＵＥ１７７０および第２のＵＥ１７８０は両方とも、ダウンリンクを監視し、アップリンク許可を受信する。図示される実施例では、第１のＵＥ１７７０はまた、ハイブリッドプリアンブルを通常出力電力で伝送するように第１のＵＥ１７７０を構成する指示も受信する。第２のＵＥ１７８０は、プリアンブルをＤＴＸするか、またはハイブリッドプリアンブルを低減電力レベルで伝送するかのいずれかに第２のＵＥ１７８０を構成する指示を受信する。ＴＴＩ境界では、第１のＵＥ１７７０は、ＣＣＡ期間１７３２においてＣＣＡを行い、第２のＵＥ１７８０は、ＣＣＡ期間１７５２においてＣＣＡを行う。ＣＣＡの成功に応じて、ＵＥは両方とも、チャネルにアクセスするための開始時間１７２０を決定する。１７２０において、第１のＵＥ１７７０は、ハイブリッドプリアンブル１７１０の伝送を通常電力で開始する一方、第２のＵＥ１７８０は、低減電力でのハイブリッドプリアンブル１７５０の伝送またはハイブリッドプリアンブル１７５０のＤＴＸを開始する。ＴＴＩ境界１７２４では、第１のＵＥ１７７０は、ＬＴＥ信号１７０６の伝送を開始し、第２のＵＥ１７８０は、ＬＴＥ信号１７５６の伝送を開始する。
【００８２】
図１８は、アップリンク（ＵＬ）ハイブリッドプリアンブル構造を図示する例示的タイミング図１８００である。図示されるハイブリッドプリアンブルは、ＴＤＤシステムまたはＦＤＤシステムのいずれかで使用され得る。図示される実施例では、ＵＥは、参照番号１８７０によって示されるように、ＴＴＩ境界１８２４におけるＬＡＡ−ＬＴＥチャネル上でのＵＬ伝送を許可するＵＬ許可を受信する。図示される実施例では、先行するサブフレーム、すなわち、前のＴＴＩ境界１８２２とＴＴＩ境界１８２４との間のサブフレームは、ＬＴＥ伝送のために使用されない。例えば、ｅＮＢは、先行するサブフレームにおけるＬＡＡ−ＬＴＥチャネル上での任意のＵＬ伝送をスケジュールしないこともある。この場合、ＵＥは、先行するサブフレーム（すなわち、ＴＴＩ境界１８２２と次のＴＴＩ境界１８２４との間のサブフレーム）の間、ＣＣＡを行い、ハイブリッドプリアンブルを伝送し得る。図示される実施例では、ＣＣＡ期間１８３２の間にＣＣＡを行うＵＥは、ＣＣＡに基づいて、非ライセンスキャリア上で伝送するための開始時間１８２０を決定し、ハイブリッドプリアンブル１８１０を開始時間１８２０とＴＴＩ境界１８２４との間で伝送し、ＴＴＩ境界１８２４においてＬＴＥ信号１８０６の伝送を開始する。ある場合には、ＣＣＡ期間１８３２は、ＴＴＩ境界１８２２後に開始し得る。
【００８３】
図１９は、時分割多重（ＴＤＤ）動作におけるハイブリッドプリアンブル構造を図示する例示的タイミング図１９００である。図示される実施例では、ＵＥは、参照番号１９７０によって示されるように、ＴＴＩ境界１９２４におけるＬＡＡ−ＬＴＥチャネル上でのＵＬ伝送を許可するＵＬ許可を受信する。図示される実施例では、先行するサブフレーム、すなわち、前のＴＴＩ境界１９２２とＴＴＩ境界１９２４との間のサブフレームは、特別なＴＤＤサブフレームである。特別なＴＤＤサブフレームは、ＤｗＰＴＳ１９７２、ＧＰ１９７４、およびＵｐＰＴＳ１９７６を含む。図示される実施例では、ＵＥは、ＧＰ１９７４およびＵｐＰＴＳ１９７６の間、ＣＣＡを行い、ハイブリッドプリアンブルを伝送し得る。図示される実施例では、ＣＣＡ期間１９３２の間にＣＣＡを行うＵＥは、チャネルにアクセスするための開始時間１９２０を決定し、ハイブリッドプリアンブル１９１０を開始時間１９２０とＴＴＩ境界１９２４との間で伝送し、ＴＴＩ境界１９２４におけるＬＴＥ信号１９０６の伝送を開始する。
【００８４】
いくつかの実装では、より長いＧＰ長さを伴う、特別なサブフレームフォーマット、例えば、３ＧＰＰ  ＴＳ３６．２１１において規定されたフォーマット０が、ＣＣＡのための時間を増加させるために使用され得る。ある場合には、ｅＮＢはまた、ＣＣＡがＴＴＩ境界１９２２の開始から始まり得るように、ＤｗＰＴＳ１９７２をＤＴＸし得る。いくつかの事例では、システム情報が、特別なＴＤＤサブフレームのＤｗＰＴＳ１９７２がＤＴＸされるかどうかを信号伝達し得る。ＤｗＰＴＳ１９７２がＤＴＸされる場合、ＵＥは、ＴＴＩ境界１９２２からＣＣＡを開始し得る。ＤｗＰＴＳ１９７２がＤＴＸされない場合、すなわち、ＤｗＰＴＳ１９７２がＤＬ伝送のために使用される場合、ＵＥは、ＧＰ１９７４からＣＣＡを開始し得る。
【００８５】
図２０は、アップリンク（ＵＬ）パンクチャードＬＴＥサブフレーム内のハイブリッドプリアンブル構造を図示する例示的タイミング図である。図示されるハイブリッドプリアンブルは、ＴＤＤシステムまたはＦＤＤシステムのいずれかで使用され得る。タイミング図２０００は、ＬＴＥサブフレーム２０４０を含む。タイミング図２０００はまた、アイドル期間２０３４、ＣＣＡ期間２０３２、およびハイブリッドプリアンブル２０１０を含む。加えて、タイミング図２０００は、ＴＴＩ境界２０２４から開始する、ＬＴＥ信号２００６を含む。図示される実施例では、図１６に説明されるＤＬ動作同様、ＬＴＥサブフレーム２０４０は、パンクチャーされている。ある場合には、ｅＮＢは、スケジュールされた伝送に先行するサブフレームを占有されないままにすべきかどうか、またはスケジュールされた伝送に先行するサブフレーム内のパンクチャードＬＴＥサブフレームが占有されないようにスケジュールすべきかどうかを決定し得る。ある場合には、ｅＮＢは、先行するサブフレームに適用可能なチャネル品質に基づいて決定を行い得る。チャネル品質は、測定報告、すなわち測定報告による前の伝送の測定に基づいて決定され得る。チャネル品質が低い、例えば、経路損失が高い場合、ｅＮＢは、例えば、図１８における実施例に図示されるように、先行するサブフレームをスケジュールされないままにすることを決定し得る。
【００８６】
ある場合には、ｅＮＢは、例えば、ＬＴＥサブフレームがパンクチャーされるかどうかをＵＥにＰＤＣＣＨチャネル上で信号伝達し得る。例えば、ｅＮＢは、スケジュールされたＵＬ伝送の最後のＯＦＤＭシンボルをパンクチャリングするようにＵＥに信号伝達し得る。代替として、ｅＮＢは、パンクチャリングせずに通常ＬＴＥサブフレームを伝送することをＵＥに信号伝達し得る。ある場合には、ｅＮＢは、スケジュールされた伝送に先行するサブフレームが占有されていないかどうかをＵＥに信号伝達し得る。ある場合には、ｅＮＢは、スケジュールされた伝送に先行するサブフレームがパンクチャーされることをＵＥに信号伝達し得る。
【００８７】
図示される実施例では、ＬＴＥサブフレーム２０４０は、パンクチャーされ得る。ある場合には、ＬＴＥサブフレーム２０４０内のＯＦＤＭシンボルのうちの少なくとも１つが、ＣＣＡおよびハイブリッドプリアンブル伝送のために使用され、したがって、ＬＴＥ信号伝送のために使用されない。これらの場合、ＯＦＤＭシンボルのうちの少なくとも１つは、非伝送ＯＦＤＭシンボルである。図示される実施例では、最後のＯＦＤＭシンボルは、ＬＴＥサブフレーム２０４０内の非伝送ＯＦＤＭシンボルである。ある場合には、非伝送ＯＦＤＭシンボルは、ＬＴＥサブフレーム内の最初のＯＦＤＭシンボルであり得る。ある場合には、２つ以上のＯＦＤＭシンボルが、伝送されず、非伝送ＯＦＤＭシンボルは、ＬＴＥサブフレーム内の任意の位置に位置し得る。図示される実施例では、アイドル期間２０３４は、最後のＯＦＤＭシンボルが開始するのと同時に始まり、その後、ＣＣＡ期間２０３２が続く。ある場合には、アイドル期間２０３４の持続時間は、約５０μｓであり得る。ある場合には、ＣＣＡ期間２０３２は、約１８μｓを上回り得る。ハイブリッドプリアンブル２０１０は、チャネルがＣＣＡに基づいてアクセスのために利用可能である開始時間２０２０から開始する。ハイブリッドプリアンブル２０１０は、ＴＴＩ境界２０２４で終了し、そこでＬＴＥ信号２００６が開始する。いくつかの実装では、例えば、ＬＢＥ動作では、アイドル期間２０３４は、省略され得る。
【００８８】
図２１は、ＬＡＡ−ＬＴＥ動作においてチャネルを共有するための例示的方法２１００を図示するフロー図である。方法２１００は、ブロック２１０２から開始し得、そこでＬＡＡ−ＬＴＥチャネル上での伝送のための開始時間が、決定される。ある場合には、ブロック２１０２は、ＣＣＡを行うこと、およびチャネルが占有されていないことを決定することのうちの少なくとも１つを伴う。いくつかの実装では、ＬＡＡ−ＬＴＥチャネルは、ライセンス補助動作のために構成される非ライセンスキャリアである。ある場合には、決定は、ＣＣＡを介して、進化型ＮｏｄｅＢ（ｅＮＢ）によるダウンリンク（ＤＬ）伝送に先立って、ｅＮＢによって行われ得る。代替として、または組み合わせて、決定は、ユーザ機器（ＵＥ）によるアップリンク（ＵＬ）伝送に先立って、ＵＥによって行われ得る。
【００８９】
ブロック２１０４では、ハイブリッドプリアンブルの長さが、開始時間および所定の伝送時間境界に基づいて決定される。ある場合には、所定の伝送時間境界は、伝送時間間隔（ＴＴＩ）境界である。ある場合には、ブロック２１１０では、ハイブリッドプリアンブルは、ＬＴＥ信号の長さを示す無線ローカルエリアネットワーク（ＷＬＡＮ）適合セクション（ＷＣＳ）を含む。これらの場合、ハイブリッドプリアンブルの長さは、無線ローカルエリアネットワーク（ＷＬＡＮ）適合セクション（ＷＣＳ）の長さに等しい。ある場合には、ブロック２１１２では、ハイブリッドプリアンブルは、無線ローカルエリアネットワーク（ＷＬＡＮ）適合セクション（ＷＣＳ）および可変長セクション（ＶＬＳ）を含む。ＷＣＳは、ＬＴＥ信号の長さを示し得る。ＶＬＳは、ハイブリッドプリアンブルの長さとＷＣＳの長さとの間の差異に基づいて決定される長さを有し得る。これらの場合、ハイブリッドプリアンブルの長さは、ＷＣＳの長さより大きい。ある場合には、ブロック２１１４では、ハイブリッドプリアンブルは、ハイブリッドプリアンブルの長さに基づいて決定される長さを有する可変長セクション（ＶＬＳ）を含む。これらの場合、ハイブリッドプリアンブルの長さは、ＷＣＳの長さより小さい。
【００９０】
ある場合には、ハイブリッドプリアンブルは、ハイブリッドプリアンブルの長さにかかわらず、ＶＬＳセクションのみを含む。
【００９１】
ブロックでは２１２０、ハイブリッドプリアンブルの長さを決定することに続いて、決定された長さを有するハイブリッドプリアンブルが、伝送される。ある場合には、伝送は、ｅＮＢによって伝送されるＤＬ伝送であり得る。代替として、または組み合わせて、伝送は、ＵＥによって伝送される、ＵＬ伝送であり得る。ある場合には、ハイブリッドプリアンブルの伝送に先立って、ＬＴＥ信号の伝送を許可する伝送許可とハイブリッドプリアンブルの伝送電力レベルを示す指示とが受信され得る。指示は、ハイブリッドプリアンブルが通常電力レベルで伝送されること、または低減電力レベルで伝送されることを示し得る。これらの場合、ハイブリッドプリアンブルは、指示に従って伝送され得る。
【００９２】
いくつかの実装では、ハイブリッドプリアンブルは、所定の伝送時間境界に先立って、第１のサブフレーム内で伝送され、ＬＴＥ信号は、所定の伝送時間境界後、第２のサブフレーム内で伝送される。ある場合には、第１のサブフレームは、第１のサブフレーム内のシンボルの一部のみを占有するように適合されるＬＴＥ信号を含む。これらの場合、ハイブリッドプリアンブルは、その一部内にないシンボルに対応する期間中に伝送される。
【００９３】
ブロック２１３０では、ハイブリッドプリアンブルに続いて、ロングタームエボリューション（ＬＴＥ）信号が、伝送され得る。ある場合には、ブロック２１４０では、第２のＬＴＥ信号の伝送を許可する伝送許可が、受信される。伝送許可は、先行するハイブリッドプリアンブルなしに第２のＬＴＥ信号を伝送するための指示を含み得る。ブロック２１４２では、指示に応答して、第２のＬＴＥ信号は、先行するハイブリッドプリアンブルなしに伝送される。
【００９４】
図２２は、例示的ユーザ機器（ＵＥ）デバイス２２００を図示するブロック図である。図示されるデバイス２２００は、処理ユニット２２０２と、コンピュータ読み取り可能な記憶媒体２２０４（例えば、ＲＯＭまたはフラッシュメモリ）と、無線通信サブシステム２２０６と、ユーザインターフェース２２０８と、Ｉ／Ｏインターフェース２２１０とを含む。
【００９５】
処理ユニット２２０２は、本明細書に開示される実装のうちの１つ以上のものと関連して本明細書で説明されるプロセス、ステップ、もしくは動作のうちの１つ以上のものに関係付けられる命令を実行するように構成される１つ以上の処理コンポーネント（代替として、「プロセッサ」または「中央処理装置」（ＣＰＵ）と称される）を含むことができる。いくつかの実装では、処理ユニット２２０２は、測定レポート等の制御情報を生成し、またはネットワークノードからの制御情報等の受信された情報に応答するように構成され得る。処理ユニット２２０２はまた、セル選択／再選択情報または測定レポートのトリガ等の無線リソース管理（ＲＲＭ）決定を行うように構成され得る。処理ユニット２２０２はまた、ランダムアクセスメモリ（ＲＡＭ）および読み取り専用メモリ（ＲＯＭ）等の他の補助コンポーネントを含むこともできる。コンピュータ読み取り可能な記憶媒体２２０４は、デバイス２２００のオペレーティングシステム（ＯＳ）、および上記で説明されるプロセス、ステップ、もしくは動作のうちの１つ以上のものを行うための種々の他のコンピュータ実行可能命令、論理、またはソフトウェアプログラムを記憶することができる。
【００９６】
無線通信サブシステム２２０６は、処理ユニット２２０２によって提供される音声、データ、および／または制御情報のための無線通信を提供するように構成され得る。無線通信サブシステム２２０６は、例えば、１つ以上のアンテナ、受信機、伝送機、ローカル発振器、ミキサ、およびデジタル信号処理（ＤＳＰ）ユニットを含むことができる。いくつかの実装では、サブシステム２２０６は、多重入出力（ＭＩＭＯ）伝送をサポートすることができる。いくつかの実装では、無線通信サブシステム２２０６内の受信機は、前進受信機または基準受信機であり得る。２つの受信機は、同一、類似、または異なる受信機処理アルゴリズムで実装されることができる。
【００９７】
ユーザインターフェース２２０８は、例えば、スクリーンもしくはタッチスクリーン（例えば、液晶ディスプレイ（ＬＣＤ）、発光ディスプレイ（ＬＥＤ）、有機発光ディスプレイ（ＯＬＥＤ）、微小電気機械システム（ＭＥＭＳ）ディスプレイ）、キーボードもしくはキーパッド、トラックボール、スピーカ、およびマイクロホンのうちの１つ以上のものを含むことができる。Ｉ／Ｏインターフェース２２１０は、例えば、ユニバーサルシリアルバス（ＵＳＢ）インターフェースを含むことができる。種々の他のコンポーネントも、デバイス２２００内に含まれることができる。本発明のいくつかの実施形態が、説明されている。それでもなお、種々の修正が行われ得ることを理解されたい。故に、他の実施形態も、以下の請求項の範囲内である。
【００９８】
図２３は、例示的ｅＮＢ２３００を図示するブロック図である。図示されるｅＮＢ２３００は、処理モジュール２３０２と、有線通信サブシステム２３０４と、無線通信サブシステム２３０６とを含む。無線通信サブシステム２３０６は、ＵＥからデータトラフィックおよび制御トラフィックを受信することができる。いくつかの実装では、無線通信サブシステム２３０６は、受信機と、伝送機とを含み得る。有線通信サブシステム２３０４は、バックホール接続を介して、他のアクセスノードデバイスの間で制御情報を伝送および受信するように構成されることができる。処理モジュール２３０２は、本明細書に開示される実装のうちの１つ以上のものと関連して上記で説明されるプロセス、ステップ、もしくは動作のうちの１つ以上のものに関係付けられる命令を実行することが可能である、１つ以上の処理コンポーネント（代替として、「プロセッサ」または「中央処理装置」（ＣＰＵ）と称される）を含むことができる。処理モジュール２３０２はまた、ランダムアクセスメモリ（ＲＡＭ）、読み取り専用メモリ（ＲＯＭ）、二次記憶装置（例えば、ハードディスクまたはフラッシュメモリ）等の他の補助コンポーネントを含むこともできる。いくつかの実装では、処理モジュール２３０２は、制御情報を生成し、またはＵＥから伝送される測定レポート等の受信された情報に応答するように構成され得る。処理モジュール２３０２はまた、少なくとも部分的にセル選択／再選択情報または測定レポート等のＵＥから伝送される情報に基づいて、ＲＲＭ決定を行うように構成され得る。処理ユニット２３０２はまた、有線通信サブシステム２３０４または無線通信サブシステム２３０６を使用して、無線もしくは有線通信を提供するように、ある命令およびコメントを実行することができる。種々の他のコンポーネントも、ｅＮＢ２３００に含まれることができる。
【００９９】
同様に、動作が特定の順序で図面に描写されているが、これは、そのような動作が、示される特定の順序で、または連続的順序に行われること、もしくは望ましい結果を達成するように全ての図示される動作が行われることを要求するものとして理解されるべきではない。ある状況では、マルチタスクおよび並列処理が採用され得る。さらに、上記で説明される実装における種々のシステムコンポーネントの分離は、全ての実装においてそのような分離を要求するものとして理解されるべきではなく、説明されるプログラムコンポーネントおよびシステムが、概して、信号ソフトウェア製品にともに組み込まれ、または複数のソフトウェア製品にパッケージ化され得ることを理解されたい。
【０１００】
さらに、離散または別個として種々の実装で説明および図示される技法、システム、サブシステム、ならびに方法は、他のシステム、モジュール、技法、または方法と組み合わせられ、もしくは統合され得る。互いに連結され、直接連結され、もしくは通信するとして示されるかまたは議論される他のアイテムは、電気的、機械的、もしくは別様であるかどうかにかかわらず、あるインターフェース、デバイス、または中間コンポーネントを通して、間接的に連結され、もしくは通信し得る。変更、置換、および改変の他の実施例が、当業者によって解明可能であり、行われ得る。
【０１０１】
上記の詳細な説明は、種々の実装に適用されるような本開示の基本的な新規の特徴を示し、説明し、指摘しているが、図示されるシステムの形態および詳細の種々の省略、置換、および変更が当業者によって行われ得ることが理解されるであろう。加えて、方法ステップの順序は、それらが請求項の中で出現する順序によって示唆されない。
【図１】
0006662873.tif 000002
【図２】
0006662873.tif 000003
【図３】
0006662873.tif 000004
【図４】
0006662873.tif 000005
【図５】
0006662873.tif 000006
【図６】
0006662873.tif 000007
【図７】
0006662873.tif 000008
【図８】
0006662873.tif 000009
【図９】
0006662873.tif 000010
【図１０】
0006662873.tif 000011
【図１１】
0006662873.tif 000012
【図１２】
0006662873.tif 000013
【図１３】
0006662873.tif 000014
【図１４】
0006662873.tif 000015
【図１５】
0006662873.tif 000016
【図１６】
0006662873.tif 000017
【図１７】
0006662873.tif 000018
【図１８】
0006662873.tif 000019
【図１９】
0006662873.tif 000020
【図２０】
0006662873.tif 000021
【図２１】
0006662873.tif 000022
【図２２】
0006662873.tif 000023
【図２３】
0006662873.tif 000024